(57)【要約】【課題】基板間の位置ズレに対応したフローティングコネクタを提供する。【解決手段】電気配線を有する２つの基板を接続するためのフローティングコネクタであって、各々の基板に固定された２つの雌コネクタと、一方の雌コネクタと他方の雌コネクタとを電気的に接続するための雄コネクタとを有し、雌コネクタは基板が固定される側と反対側に開口を有する複数の溝部が形成されており、溝部は基板が接続される方向に沿ったものであって、溝部には各々コの字状の接点を有しており、雄コネクタはコの字状の接点に嵌合する形状の導電性を有する板状の接点を有しており、コの字状の接点と板状の接点とが接触することにより、板状の接点を介し、一方の雌コネクタと他方の雌コネクタとを電気的に接続するものであることを特徴とするフローティングコネクタを提供することにより上記課題を解決する。【選択図】  図１
2010232155.tif 000002
【特許請求の範囲】
【請求項１】
電気配線を有する２つの基板を接続するためのフローティングコネクタであって、
各々の前記基板に固定された２つの雌コネクタと、
一方の雌コネクタと他方の雌コネクタとを電気的に接続するための雄コネクタと、
を有し、
前記雌コネクタは前記基板が固定される側と反対側に開口を有する複数の溝部が形成されており、前記溝部は前記基板が接続される方向に沿ったものであって、前記溝部には各々コの字状の接点を有しており、
前記雄コネクタは前記コの字状の接点に嵌合する形状の導電性を有する板状の接点を有しており、
前記コの字状の接点と前記板状の接点とが接触することにより、前記板状の接点を介し、前記一方の雌コネクタと前記他方の雌コネクタとを電気的に接続するものであることを特徴とするフローティングコネクタ。
【請求項２】
前記雌コネクタを前記基板に固定した後、前記雄コネクタを前記基板が固定されている側と反対側より、挿入し嵌合させるものであることを特徴とする請求項１に記載のフローティングコネクタ。
【請求項３】
前記溝部は円弧状に形成されており、前記コの字状の接点を中心として前記基板が接続される方向に沿った前記溝部の両側において広がった形状であることを特徴とする請求項１または２に記載のフローティングコネクタ。
【請求項４】
前記コの字状の接点は、前記板状の接点と接触する接触部が設けられており、
前記接触部は、円弧状に形成されており、前記コの字状の接点を中心として前記基板が接続される方向に沿った前記溝部の両側において広がった形状であることを特徴とする請求項１から３のいずれかに記載のフローティングコネクタ。
【請求項５】
前記雌コネクタは、前記基板と固定される側と反対側の前記溝部の先端部には、テーパが形成されていることを特徴とする請求項１から４のいずれかに記載のフローティングコネクタ。
【請求項６】
前記雄コネクタは、前記雌コネクタと嵌合した状態において、前記嵌合状態が維持されるよう、前記雌コネクタの外側側面に引っ掛けるためのフックが設けられていることを特徴とする請求項１から５のいずれかに記載のフローティングコネクタ。
【請求項７】
前記２つの基板において、前記雌コネクタが固定されている面と反対側の面は、前記雌コネクタと前記雄コネクタが嵌合した状態においては、同一平面にあることを特徴とする請求項１から６のいずれかに記載のフローティングコネクタ。
【請求項８】
電気配線を有する２つの基板を接続するためのフローティングコネクタであって、
各々の前記基板に固定された２つの雄コネクタと、
一方の雄コネクタと他方の雄コネクタとを電気的に接続するための雌コネクタと、
を有し、
前記雄コネクタは前記基板面に対し垂直方向に延びる導電性を有する接続端子を有しており、
前記雌コネクタは前記接続端子を嵌合するための導電性を有する嵌合部を有しており、
前記雌コネクタの嵌合部と、２つの前記雄コネクタの接続端子とが嵌合することにより、前記雌コネクタの嵌合部を介し、前記一方の雄コネクタと前記他方の雄コネクタとを電気的に接続するものであることを特徴とするフローティングコネクタ。
【請求項９】
前記雄コネクタを前記基板に固定した後、前記雌コネクタを前記基板が固定されている側と反対側より、嵌合させるものであることを特徴とする請求項８に記載のフローティングコネクタ。
【請求項１０】
前記接続端子の先端部には、テーパが形成されていることを特徴とする請求項８または９に記載のフローティングコネクタ。
【請求項１１】
前記嵌合部は、断面がＵ字形状のものが断面方向に延びて形成されたものであり、前記Ｕ字形状の先端部の間隔が狭くなっていることを特徴とする請求項８から１０のいずれかに記載のフローティングコネクタ。
【請求項１２】
前記雌コネクタは、前記雄コネクタと嵌合した状態において、前記嵌合状態が維持されるよう、前記雄コネクタの外側側面に引っ掛けるためのフックが設けられていることを特徴とする請求項８から１１のいずれかに記載のフローティングコネクタ。
【請求項１３】
前記２つの基板において、前記雄コネクタが固定されている面と反対側の面は、前記雌コネクタと前記雄コネクタが嵌合した状態においては、同一平面にあることを特徴とする請求項８から１２のいずれかに記載のフローティングコネクタ。
【請求項１４】
電気配線を有する２つの基板を接続するためのフローティングコネクタであって、
前記基板の端部には電極端子と開口部とが設けられており、
前記フローティングコネクタは、前記開口部に嵌合する嵌合部と、前記電極端子と接触する導電性材料からなる電極部が設けられており、
前記電極部が、２つの前記基板の電極端子と接触することにより、一方の基板の電極端子と他方の基板の電極端子とを電気的に接続するものであることを特徴とするフローティングコネクタ。
【請求項１５】
前記開口部は、前記基板の接続される方向に長く形成されていることを特徴とする請求項１４に記載のフローティングコネクタ。
【請求項１６】
前記電極部は、金属材料からなり、バネ性を有するものであることを特徴とする請求項１４または１５に記載のフローティングコネクタ。
【発明の詳細な説明】
【技術分野】
【０００１】
本発明は、フローティングコネクタに関する。
【背景技術】
【０００２】
電子機器内部のプリント基板間を接続するコネクタとしてフローティングコネクタがある（例えば、特許文献１、２）。
【０００３】
このようなフローティングコネクタは、プリント基板を水平方向に並列に実装する場合や上下方向に接続する場合に利用するものであり、プリント基板の接続の様々な用途において用いられている。
【先行技術文献】
【特許文献】
【０００４】
【特許文献１】特開平４−２８１８６号公報
【特許文献２】特開２００８−１６２７１号公報
【発明の概要】
【発明が解決しようとする課題】
【０００５】
ところで、このようなフローティングコネクタは、プリント基板を水平方向に接続する場合においては、接続されるプリント基板の水平方向の端部に設けられるため、接続されるコネクタ部分がデッドスペースとなり、配線や電子部品等を搭載することができず、高集積化、高密度化において限界を有していた。また、接続されるプリント基板はネジ等で固定されるため、プリント基板同士を正確に位置合せすることなく接続することができるコネクタが望まれていた。
【０００６】
本発明は、上記に鑑みてなされたものであり、プリント基板を水平方向に接続する場合においてもコネクタ部分がデッドスペースとはなることがなく、プリント基板間において位置ズレ等を生じている場合においても、確実にプリント基板を水平方向に高密度に接続することが可能なフローティングコネクタを提供することを目的とするものである。
【課題を解決するための手段】
【０００７】
本発明は、電気配線を有する２つの基板を接続するためのフローティングコネクタであって、各々の前記基板に固定された２つの雌コネクタと、一方の雌コネクタと他方の雌コネクタとを電気的に接続するための雄コネクタと、を有し、前記雌コネクタは前記基板が固定される側と反対側に開口を有する複数の溝部が形成されており、前記溝部は前記基板が接続される方向に沿ったものであって、前記溝部には各々コの字状の接点を有しており、前記雄コネクタは前記コの字状の接点に嵌合する形状の導電性を有する板状の接点を有しており、前記コの字状の接点と前記板状の接点とが接触することにより、前記板状の接点を介し、前記一方の雌コネクタと前記他方の雌コネクタとを電気的に接続するものであることを特徴とする。
【０００８】
また、本発明は、前記雌コネクタを前記基板に固定した後、前記雄コネクタを前記基板が固定されている側と反対側より、挿入し嵌合させるものであることを特徴とする。
【０００９】
また、本発明は、前記溝部は円弧状に形成されており、前記コの字状の接点を中心として前記基板が接続される方向に沿った前記溝部の両側において広がった形状であることを特徴とする。
【００１０】
また、本発明は、前記コの字状の接点は、前記板状の接点と接触する接触部が設けられており、前記接触部は、円弧状に形成されており、前記コの字状の接点を中心として前記基板が接続される方向に沿った前記溝部の両側において広がった形状であることを特徴とする。
【００１１】
また、本発明は、前記雌コネクタは、前記基板と固定される側と反対側の前記溝部の先端部には、テーパが形成されていることを特徴とする。
【００１２】
また、本発明は、前記雄コネクタは、前記雌コネクタと嵌合した状態において、前記嵌合状態が維持されるよう、前記雌コネクタの外側側面に引っ掛けるためのフックが設けられていることを特徴とする。
【００１３】
また、本発明は、前記２つの基板において、前記雌コネクタが固定されている面と反対側の面は、前記雌コネクタと前記雄コネクタが嵌合した状態においては、同一平面にあることを特徴とする。
【００１４】
また、本発明は、電気配線を有する２つの基板を接続するためのフローティングコネクタであって、各々の前記基板に固定された２つの雄コネクタと、一方の雄コネクタと他方の雄コネクタとを電気的に接続するための雌コネクタと、を有し、前記雄コネクタは前記基板面に対し垂直方向に延びる導電性を有する接続端子を有しており、前記雌コネクタは前記接続端子を嵌合するための導電性を有する嵌合部を有しており、前記雌コネクタの嵌合部と、２つの前記雄コネクタの接続端子とが嵌合することにより、前記雌コネクタの嵌合部を介し、前記一方の雄コネクタと前記他方の雄コネクタとを電気的に接続するものであることを特徴とする。
【００１５】
また、本発明は、前記雄コネクタを前記基板に固定した後、前記雌コネクタを前記基板が固定されている側と反対側より、嵌合させるものであることを特徴とする。
【００１６】
また、本発明は、前記接続端子の先端部には、テーパが形成されていることを特徴とする。
【００１７】
また、本発明は、前記嵌合部は、断面がＵ字形状のものが断面方向に延びて形成されたものであり、前記Ｕ字形状の先端部の間隔が狭くなっていることを特徴とする。
【００１８】
また、本発明は、前記雌コネクタは、前記雄コネクタと嵌合した状態において、前記嵌合状態が維持されるよう、前記雄コネクタの外側側面に引っ掛けるためのフックが設けられていることを特徴とする。
【００１９】
また、本発明は、前記２つの基板において、前記雄コネクタが固定されている面と反対側の面は、前記雌コネクタと前記雄コネクタが嵌合した状態においては、同一平面にあることを特徴とする。
【００２０】
また、本発明は、電気配線を有する２つの基板を接続するためのフローティングコネクタであって、前記基板の端部には電極端子と開口部とが設けられており、前記フローティングコネクタは、前記開口部に嵌合する嵌合部と、前記電極端子と接触する導電性材料からなる電極部が設けられており、前記電極部が、２つの前記基板の電極端子と接触することにより、一方の基板の電極端子と他方の基板の電極端子とを電気的に接続するものであることを特徴とする。
【００２１】
また、本発明は、前記開口部は、前記基板の接続される方向に長く形成されていることを特徴とする。
【００２２】
また、本発明は、前記電極部は、金属材料からなり、バネ性を有するものであることを特徴とする。
【発明の効果】
【００２３】
本発明によれば、プリント基板を水平方向に接続する場合においてコネクタ部分がデッドスペースとはなることがなく、プリント基板間において位置ズレ等を生じている場合においても、確実にプリント基板を水平方向に高密度に接続することが可能なフローティングコネクタを提供することができる。
【図面の簡単な説明】
【００２４】
【図１】第１の実施の形態におけるフローティングコネクタを接続した状態の斜視図
【図２】第１の実施の形態における雌コネクタの斜視図
【図３】第１の実施の形態における雌コネクタの上面図
【図４】第１の実施の形態における雌コネクタの長手方向の側面図
【図５】第１の実施の形態における雌コネクタの短手方向の側面図
【図６】第１の実施の形態における雌コネクタ端子の斜視図
【図７】第１の実施の形態における雌コネクタ端子の上面図
【図８】第１の実施の形態における雄コネクタの底面部の斜視図
【図９】第１の実施の形態における雄コネクタの上面部の斜視図
【図１０】第１の実施の形態における雄コネクタの上面図
【図１１】第１の実施の形態における雄コネクタの長手方向の側面図
【図１２】第１の実施の形態における雄コネクタの短手方向の側面図
【図１３】第１の実施の形態におけるフローティングコネクタの接続した状態の構成図（１）
【図１４】第１の実施の形態におけるフローティングコネクタの接続した状態の上面図（１）
【図１５】第１の実施の形態におけるフローティングコネクタの接続した状態の斜視図（１）
【図１６】第１の実施の形態におけるフローティングコネクタの接続した状態の構成図（２）
【図１７】第１の実施の形態におけるフローティングコネクタの接続した状態の上面図（２）
【図１８】第１の実施の形態におけるフローティングコネクタの接続した状態の上面図（３）
【図１９】第１の実施の形態におけるフローティングコネクタの接続した状態の斜視図（２）
【図２０】第１の実施の形態におけるフローティングコネクタの接続した状態の側面図
【図２１】第１の実施の形態におけるフローティングコネクタの接続した状態の説明図
【図２２】第１の実施の形態におけるフローティングコネクタを用いた接続例の斜視図
【図２３】第１の実施の形態におけるフローティングコネクタを用いた接続例の上面図
【図２４】第１の実施の形態におけるフローティングコネクタを用いた接続例の側面図
【図２５】第１の実施の形態におけるフローティングコネクタを用いた別の接続例の説明図
【図２６】第２の実施の形態におけるフローティングコネクタを接続した状態の斜視図
【図２７】第２の実施の形態における雄コネクタの斜視図
【図２８】第２の実施の形態における雄コネクタの上面図
【図２９】第２の実施の形態における雄コネクタの長手方向の側面図
【図３０】第２の実施の形態における雄コネクタの短手方向の側面図
【図３１】第２の実施の形態における雌コネクタの底面部の斜視図
【図３２】第２の実施の形態における雌コネクタの上面部の斜視図
【図３３】第２の実施の形態における雌コネクタの上面図
【図３４】第２の実施の形態における雌コネクタの長手方向の側面図
【図３５】第２の実施の形態における雌コネクタの短手方向の側面図
【図３６】第２の実施の形態におけるフローティングコネクタの接続した状態の概念図（１）
【図３７】第２の実施の形態におけるフローティングコネクタの接続した状態の上面図（１）
【図３８】第２の実施の形態におけるフローティングコネクタの接続した状態の斜視図（１）
【図３９】第２の実施の形態におけるフローティングコネクタの接続した状態の概念図（２）
【図４０】第２の実施の形態におけるフローティングコネクタの接続した状態の上面図（２）
【図４１】第２の実施の形態におけるフローティングコネクタの接続した状態の上面図（３）
【図４２】第２の実施の形態におけるフローティングコネクタの接続した状態の斜視図（２）
【図４３】第２の実施の形態におけるフローティングコネクタの接続した状態の側面図
【図４４】第２の実施の形態におけるフローティングコネクタの接続した状態の説明図
【図４５】第３の実施の形態におけるフローティングコネクタを接続した状態の斜視図
【図４６】第３の実施の形態におけるフローティングコネクタにより接続されるプリント基板の上面図
【図４７】第３の実施の形態におけるフローティングコネクタの斜視図
【図４８】第３の実施の形態におけるフローティングコネクタの側面図
【図４９】第３の実施の形態におけるフローティングコネクタを接続した状態の側面図（１）
【図５０】第３の実施の形態におけるフローティングコネクタの接続した状態の説明図（１）
【図５１】第３の実施の形態におけるフローティングコネクタの接続した状態の説明図（２）
【図５２】第３の実施の形態におけるフローティングコネクタの接続した状態の説明図（３）
【図５３】第３の実施の形態におけるフローティングコネクタを接続した状態の側面図（２）
【図５４】第３の実施の形態における変形例のフローティングコネクタを接続した状態の斜視図
【図５５】第３の実施の形態における変形例のフローティングコネクタにより接続されるプリント基板の上面図
【図５６】第３の実施の形態における変形例のフローティングコネクタの斜視図
【図５７】第３の実施の形態における変形例のフローティングコネクタを接続した状態の側面図
【発明を実施するための形態】
【００２５】
本発明を実施するための形態について以下に説明する。
【００２６】
〔第１の実施の形態〕
第１の実施の形態について説明する。本実施の形態に係るフローティングコネクタは、雄コネクタと雌コネクタとにより構成されている。具体的には、図１に示すように、プリント基板１１に固定接続された雌コネクタ２１又はプリント基板１２に固定接続された雌コネクタ２２と、雌コネクタ２１と雌コネクタ２２とを電気的に接続するための雄コネクタ２３からなるものである。尚、雌コネクタ２１と雌コネクタ２２は同一形状のものである。これにより、２つのプリント基板１１及び１２は、矢印Ａに示すプリント基板が接続される方向（基板接続方向）に接続される。
【００２７】
（雌コネクタ）
最初に、本実施の形態における雌コネクタについて説明する。図２は、本実施の形態における雌コネクタの斜視図であり、図３は上面図、図４は長手方向の側面図、図５は、短手方向の側面図である。
【００２８】
本実施の形態における雌コネクタ２１及び２２には、本体部３１に後述する雄コネクタ２３と接続するための溝部３２、３３、３４が設けられている。また、溝部３２、３３、３４には、雄コネクタ２３における端子と電気的接続するための雌コネクタ端子３７、３８、３９が設けられており、さらに、この雌コネクタ端子３７、３８、３９と電気的に接続され、プリント基板１１、１２に固定し電気配線と電気的に接続するための接続端子４７、４８、４９が設けられている。溝部３２、３３、３４は、プリント基板１１、１２と固定される側の反対方向にコの字状に開口部を有しており、この溝部３２、３３、３４は、矢印Ａに示す基板接続方向に沿った方向に形成されている。また、溝部３２、３３、３４の本体部３１の表面近傍にはテーパ４０が形成されており、雄コネクタ２３の端子が挿入しやすいように構成されている。また、雌コネクタ２１、２２の短手方向の側面には引掛部４３が設けられている。
【００２９】
図６は、雌コネクタ端子３７、３８、３９部分の斜視図である。雌コネクタ端子３７、３８、３９は、電気的導電性を有する銅等の金属材料により形成されている。雌コネクタ端子３７、３８、３９は、同一の形状のものでありコの字状に形成された金属部４１を有している。金属部４１も同様にコの字状に形成されており、雄コネクタ２３と接続される側、即ち、プリント基板１１及び１２が形成されている側と反対側に開口を有している。金属部４１は、弾性を有しており開口となる先端部分には、接触部４２ａ及び４２ｂが形成されており、雄コネクタ２３における端子を挟み込み接触し接続することができるように形成されている。
【００３０】
図７は、雌コネクタ端子３７、３８、３９部分の上面図である。雌コネクタ端子３７、３８、３９は、接触部４２ａ及び４２ｂが、矢印Ａに示す基板接続方向において円弧状に形成されている。これは、接続されるプリント基板１１及び１２の位置にズレ等が生じている場合であっても、確実に接続することができるようにするためである。
【００３１】
溝部３２、３３、３４についても同様に、円弧状に形成されており、中心部分で狭く、外側に近づくに従い広がる形状、即ち、雌コネクタ端子３７、３８、３９が形成された部分より基板接続方向において外側に広がるような形状で形成されている。
【００３２】
（雄コネクタ）
次に、本実施の形態における雄コネクタについて説明する。図８は、本実施の形態における雄コネクタの底部の斜視図であり、図９は上部斜視図であり、図１０は上面図、図１１は長手方向の側面図、図１２は、短手方向の側面図である。
【００３３】
本実施の形態における雄コネクタ２３は、本体部５１と、雌コネクタ２１及び２２の溝部３２、３３、３４に挿入し、雌コネクタ端子３７、３８、３９と電気的に接続するための雄コネクタ端子５２、５３、５４が設けられている。雄コネクタ端子５２、５３、５４は導電性を有する銅等の金属材料により板状に形成されたものである。この雄コネクタ端子５２、５３、５４を介し、雌コネクタ２１と２２とが電気的に接続され、更には、プリント基板１１とプリント基板１２とにおける電気配線が電気的に接続される。
【００３４】
この雄コネクタ端子５２、５３、５４は、矢印Ａに示す基板接続方向に沿うように並列に配列されている。
【００３５】
雄コネクタ２３の側部５６には、雌コネクタ２１、２２と嵌合した状態では、雄コネクタ２３と、雌コネクタ２１、２２とが容易にはずれないよう、雌コネクタ２１及び２２における引掛部４３に引っ掛かるようフック５７が設けられている。即ち、このフック５７により雄コネクタ２３と、雌コネクタ２１、２２とが嵌合した状態が維持されるように構成されている。
【００３６】
本実施の形態におけるコネクタにおいては、雄コネクタの雄コネクタ端子５２、５３、５４は板状で形成されており、部品点数を少なくすることができるため低コストに作製することができる。また、雌コネクタに形成された溝部に雄コネクタ端子を挿入し電気的な接続をとるものであることから、プリント基板の位置ズレに対しても広い許容範囲で対応することが可能であり、雌コネクタ及び雄コネクタに応力がかかることはなく、確実に電気的な接続をすることができる。
【００３７】
（フローティングコネクタによる接続）
次に、本実施の形態に係るフローティングコネクタによる接続について説明する。本実施の形態に係るフローティングコネクタによる接続は、例えば、プリント基板１１及び１２に各々雌コネクタ２１及び２２を固定接続した後、プリント基板１１及び１２を各々所定の位置にネジ止め等により固定し、その後、雌コネクタ２１及び２２と雄コネクタ２３とを接続するものである。
【００３８】
この場合、プリント基板１１及び１２はネジ止め等により固定されることから、相対的に位置ズレ等を生じやすい。よって、このようなプリント基板を接続する際には、プリント基板１１及び１２における相対的な位置関係が重要となる。
【００３９】
最初に、プリント基板１１及び１２が所定の位置にネジ止め等により固定された場合について説明する。この場合における本実施の形態におけるフローティングコネクタの接続状態を図１３、図１４、図１５に示す。図１３は本実施の形態におけるフローティングコネクタの接続状態を示す図であり、図１４は本実施の形態におけるフローティングコネクタの接続した状態の上面図、図１５は斜視図である。図に示されるように、雌コネクタ２１の溝部３２ａと雌コネクタ２２の溝部３２ｂには、雄コネクタ２３の雄コネクタ端子５２が挿入され、雌コネクタ２１の溝部３３ａと雌コネクタ２２の溝部３３ｂには、雄コネクタ２３の雄コネクタ端子５３が挿入され、雌コネクタ２１の溝部３４ａと雌コネクタ２２の溝部３４ｂには、雄コネクタ２３の雄コネクタ端子５４が挿入されている。雌コネクタ２１の雌コネクタ端子３７ａと雄コネクタ２３の雄コネクタ端子５２、雌コネクタ２１の雌コネクタ端子３８ａと雄コネクタ２３の雄コネクタ端子５３、雌コネクタ２１の雌コネクタ端子３９ａと雄コネクタ２３の雄コネクタ端子５４はそれぞれ接触しており電気的に接続されている。また、雌コネクタ２２の雌コネクタ端子３７ｂと雄コネクタ２３の雄コネクタ端子５２、雌コネクタ２２の雌コネクタ端子３８ｂと雄コネクタ２３の雄コネクタ端子５３、雌コネクタ２２の雌コネクタ端子３９ｂと雄コネクタ２３の雄コネクタ端子５４とはそれぞれ接触しており電気的に接続されている。これにより雄コネクタ端子５２を介し雌コネクタ２１の雌コネクタ端子３７ａと雌コネクタ２２の雌コネクタ端子３７ｂと、雄コネクタ端子５３を介し雌コネクタ２１の雌コネクタ端子３８ａと雌コネクタ２２の雌コネクタ端子３８ｂと、雄コネクタ端子５４を介し雌コネクタ２１の雌コネクタ端子３９ａと雌コネクタ２２の雌コネクタ端子３９ｂとはそれぞれ電気的に接続されている。
【００４０】
この場合、雌コネクタ２１の雌コネクタ端子３７ａ、３８ａ、３９ａ及び雌コネクタ２２の雌コネクタ端子３７ｂ、３８ｂ、３９ｂにおいて、接触部４２ａ及び４２ｂの中心部分で雄コネクタ２３の雄コネクタ端子５２、５３、５４とそれぞれ接触しているため、確実にプリント基板１１とプリント基板１２とにおける配線を電気的に接続することができる。
【００４１】
次に、プリント基板１１及び１２が所定の位置より若干ずれた位置にネジ止め等により固定された場合について説明する。この場合における本実施の形態におけるフローティングコネクタの接続状態を図１６、図１７、図１８、図１９に示す。図１６は本実施の形態におけるフローティングコネクタの接続状態を示す図であり、図１７及び図１８は本実施の形態におけるフローティングコネクタの接続した状態の上面図、図１９は斜視図である。図１７及び図１８は、プリント基板１１及び１２の位置ズレ方向が相対的に反対方向の場合を示すものである。図に示されるように、雌コネクタ２１の溝部３２ａと雌コネクタ２２の溝部３２ｂには、雄コネクタ２３の雄コネクタ端子５２が挿入され、雌コネクタ２１の溝部３３ａと雌コネクタ２２の溝部３３ｂには、雄コネクタ２３の雄コネクタ端子５３が挿入され、雌コネクタ２１の溝部３４ａと雌コネクタ２２の溝部３４ｂには、雄コネクタ２３の雄コネクタ端子５４が挿入されている。雌コネクタ２１の雌コネクタ端子３７ａと雄コネクタ２３の雄コネクタ端子５２、雌コネクタ２１の雌コネクタ端子３８ａと雄コネクタ２３の雄コネクタ端子５３、雌コネクタ２１の雌コネクタ端子３９ａと雄コネクタ２３の雄コネクタ端子５４はそれぞれ接触しており電気的に接続されている。また、雌コネクタ２２の雌コネクタ端子３７ｂと雄コネクタ２３の雄コネクタ端子５２、雌コネクタ２２の雌コネクタ端子３８ｂと雄コネクタ２３の雄コネクタ端子５３、雌コネクタ２２の雌コネクタ端子３９ｂと雄コネクタ２３の雄コネクタ端子５４とはそれぞれ接触しており電気的に接続されている。これにより雄コネクタ端子５２を介し雌コネクタ２１の雌コネクタ端子３７ａと雌コネクタ２２の雌コネクタ端子３７ｂと、雄コネクタ端子５３を介し雌コネクタ２１の雌コネクタ端子３８ａと雌コネクタ２２の雌コネクタ端子３８ｂと、雄コネクタ端子５４を介し雌コネクタ２１の雌コネクタ端子３９ａと雌コネクタ２２の雌コネクタ端子３９ｂとはそれぞれ電気的に接続されている。
【００４２】
この場合、雌コネクタ２１の雌コネクタ端子３７ａ、３８ａ、３９ａ及び雌コネクタ２２の雌コネクタ端子３７ｂ、３８ｂ、３９ｂにおいて、接触部４２ａ及び４２ｂは、図７に示すように円弧状に形成されているため平板状に形成されている雄コネクタ２３の雄コネクタ端子５２、５３、５４とそれぞれ確実に接触させることができる。これにより、プリント基板１１及び１２において相対的に位置ズレを生じている場合においても、プリント基板１１とプリント基板１２とを電気的に接続することができる。
【００４３】
次に、図２０及び図２１に基づき雄コネクタ２３の側部５６に設けられたフック５７について説明する。本実施の形態におけるフローティングコネクタは、プリント基板１１及び１２に対し垂直方向に雌コネクタ２１及び２２に雄コネクタ２３を挿入することにより電気的に接続されるものである。このため、この電気的接続は容易にはずれない方が好ましい。このため、雄コネクタ２３の側部５６にはフック５７が設けられており、このフック５７が、雌コネクタ２１及び２２の本体部３１の側面部に設けられた引掛部４３に引っかかり固定される。また、雌コネクタ２１及び２２と雄コネクタ２３との接続は、高さ方向におけるズレも吸収できるように構成されており、接続状態は図２１に示す雌コネクタ２１と雄コネクタ２３との接続状態から、雌コネクタ２２と雄コネクタ２３との接続状態まで許容される。尚、図２０は、図２１において矢印Ｂに示す方向より見た図である。
【００４４】
次に、図２２、図２３、図２４に基づき本実施の形態におけるフローティングコネクタを用いて３枚以上のプリント基板を接続する場合について説明する。
【００４５】
プリント基板１１１、１１２、１１３を一次元状に配列させる場合において、各々のプリント基板１１１、１１２、１１３において矢印Ａに示す基板接続方向の端部に雌コネクタ１２１、１２２、１２３、１２４、１２５、１２６を固定接続する。この雌コネクタ１２１、１２２、１２３、１２４、１２５、１２６には、矢印Ａに示す基板接続方向に沿った溝部が形成されている。
【００４６】
雌コネクタ１２２と１２３とを雄コネクタ１３１を上から挿入することにより接続し、雌コネクタ１２４と１２５とを雄コネクタ１３２を上から挿入することにより接続する。外部との入出力をとるため雌コネクタ１２１を別の形状の雄コネクタ１４１と接続し、雌コネクタ１２６を別の形状の雄コネクタ１４２と接続することにより、プリント基板１１１、１１２、１１３は一体の基板と同様に用いることが可能となる。尚、図２２では、雄コネクタと雌コネクタとが接続される途中段階の状態を示すものである。
【００４７】
次に、図２５に基づき本実施の形態におけるフローティングコネクタを用いて２次元的にプリント基板を接続する場合について説明する。図２５（ａ）は、２次元的にプリント基板を接続する場合の斜視図であり、図２５（ｂ）は、２次元的にプリント基板を接続する場合の断面図である。尚、本実施の形態における雄コネクタは、本体部が全体を覆うように形成されたものであるが、内部構造は、上述した雄コネクタ２３等と同様のものである。
【００４８】
接続されるプリント基板２１１、２１２、２１３、２１４、２１５、２１６を筐体２０１に複数のネジ２０２により固定する。各々のプリント基板２１１、２１２、２１３、２１４、２１５、２１６には、プリント基板同士が隣接する側に各々雌コネクタ２２１、２２２、２２３、２２４等が設けられており、各々のプリント基板が隣接する側に設けられた雌コネクタ同士は、雄コネクタ２３１、２３２、２３３、２３４、２３５等により接続される。これにより、プリント基板２１１、２１２、２１３、２１４、２１５、２１６を一体の基板と同様に用いることが可能である。尚、図２５は、雄コネクタを接続する途中の状態を示すものであり、雌コネクタ２２１及び２２２、２２３及び２２４はそれぞれ不図示の雄コネクタにより接続される。
【００４９】
〔第２の実施の形態〕
次に、第２の実施の形態について説明する。本実施の形態に係るフローティングコネクタは、雄コネクタと雌コネクタとにより構成されている。具体的には、図２６に示すように、プリント基板３１１に固定接続された雄コネクタ３２１及びプリント基板３１２に固定接続された不図示の雄コネクタと、雄コネクタ３２１及び不図示の雄コネクタを電気的に接続するための雌コネクタ３２３からなるものである。尚、プリント基板３１２に固定接続された不図示の雄コネクタは雄コネクタ３２１と同一形状のものである。これにより、２つのプリント基板３１１及び３１２は、矢印Ｃに示すプリント基板が接続される方向（基板接続方向）に接続される。
【００５０】
（雄コネクタ）
最初に、本実施の形態における雄コネクタについて説明する。図２７は、本実施の形態における雄コネクタの斜視図であり、図２８は上面図、図２９は長手方向の側面図、図３０は短手方向の側面図である。
【００５１】
本実施の形態における雄コネクタ３２１には、本体部３３１に後述する雌コネクタ３２３に設けられた端子と電気的接続するための雄コネクタ端子３３２、３３３、３３４が設けられている。雄コネクタ端子３３２、３３３、３３４は、金属等の導電性材料によりピン状に形成されている。また、この雄コネクタ３２１には、雄コネクタ端子３３２、３３３、３３４と電気的に接続されており、プリント基板３１１に固定し電気配線と電気的に接続するための接続端子３４７、３４８、３４９が設けられている。雄コネクタ端子３３２、３３３、３３４の先端部にはテーバ３４０が形成されており、後述する雌コネクタ３２３の端子が挿入しやすいように構成されている。更に、雄コネクタ３２１の短手方向の側面には引掛部３４３が設けられている。
【００５２】
（雌コネクタ）
次に、本実施の形態における雌コネクタについて説明する。図３１は、本実施の形態における雌コネクタの底部の斜視図であり、図３２は上部斜視図であり、図３３は上面図、図３４は長手方向の側面図、図３５は短手方向の側面図である。
【００５３】
本実施の形態における雌コネクタ３２３は、本体部３５１と、雄コネクタ３２１の雄コネクタ端子３３２、３３３、３３４が挿入される雌コネクタ端子３５２、３５３、３５４が設けられている。雌コネクタ端子３５２、３５３、３５４は導電性を有する銅等の金属材料により形成されたものであり、断面がＵ字形状のものが断面方向に延びて形成されたものであり、Ｕ字形状の先端部分の間隔が狭くなっており、雄コネクタ端子３３２、３３３、３３４を挟み込み嵌合することができるよう形成されている。雌コネクタ端子３５２、３５３、３５４に雄コネクタ端子３３２、３３３、３３４が嵌合することにより、雌コネクタ端子３５２、３５３、３５４を介し、雄コネクタ３２１同士が電気的に接続され、更には、図２６に示すように、プリント基板３１１とプリント基板３１２とにおける電気配線が電気的に接続される。
【００５４】
尚、雌コネクタ端子３５２、３５３、３５４は、長手方向が、矢印Ｃに示す基板接続方向に沿って配置されている。
【００５５】
また、雌コネクタ３２３の側部３５６には、雄コネクタ３２１と嵌合した状態で、雌コネクタ３２３と、雄コネクタ３２１とが容易にはずれないよう、雄コネクタ３２１における引掛部３４３に引っ掛かるようフック３５７が設けられている。即ち、このフック３５７により雌コネクタ３２３と、雄コネクタ３２１とが嵌合した状態が維持されるように構成されている。
【００５６】
本実施の形態におけるコネクタにおいては、溝状の雌コネクタ端子に雄コネクタ端子を挿入し電気的な接続をとるものであることから、プリント基板の位置ズレに対しても広い許容範囲で対応することが可能であり、雌コネクタ及び雄コネクタに余分な応力がかかることはなく、確実に電気的な接続をすることができる。
【００５７】
尚、本実施の形態における雄コネクタ３２１の本体部３３１の短手方向の側面は、円弧状に形成されている。これは、接続されるプリント基板３１１及び３１２の位置にズレ等が生じている場合であっても、確実に接続することができるようにするためである。即ち、雄コネクタ端子３３３を中心に雌コネクタ３２３が幾分回転することができるように構成されている。
【００５８】
（フローティングコネクタによる接続）
次に、本実施の形態に係るフローティングコネクタによる接続について説明する。本実施の形態に係るフローティングコネクタによる接続は、例えば、プリント基板３１１及び３１２に各々雄コネクタ３２１及び３２２を固定接続した後、プリント基板３１１及び３１２を各々所定の位置にネジ止め等により固定し、その後、雄コネクタ３２１及び３２２と雌コネクタ３２３とを接続するものである。
【００５９】
この場合、プリント基板３１１及び３１２はネジ止め等により固定されることから、相対的に位置ズレ等を生じやすい。よって、このようなプリント基板を接続する際には、プリント基板３１１及び３１２における相対的な位置関係が重要となる。
【００６０】
最初に、プリント基板３１１及び３１２が所定の位置にネジ止め等により固定された場合について説明する。この場合における本実施の形態におけるフローティングコネクタの接続状態を図３６、図３７、図３８に示す。図３６は本実施の形態におけるフローティングコネクタの接続状態を示す概念図であり、図３７は本実施の形態におけるフローティングコネクタの接続した状態の上面図、図３８は斜視図である。図に示されるように、雌コネクタ３２３の雌コネクタ端子３５２には雄コネクタ３２１の雄コネクタ端子３３２ａ及び雄コネクタ３２２の雄コネクタ端子３３２ｂが挿入され、雌コネクタ３２３の雌コネクタ端子３５３には、雄コネクタ３２１の雄コネクタ端子３３３ａ及び雄コネクタ３２２の雄コネクタ端子３３３ｂが挿入され、雌コネクタ３２３の雌コネクタ端子３５４には、雄コネクタ３２１の雄コネクタ端子３３４ａ及び雄コネクタ３２２の雄コネクタ端子３３４ｂが挿入されている。
【００６１】
これにより、雌コネクタ３２３の雌コネクタ端子３５２を介し、雄コネクタ３２１の雄コネクタ端子３３２ａと雄コネクタ３２２の雄コネクタ端子３３２ｂとが電気的に接続されており、雌コネクタ３２３の雌コネクタ端子３５３を介し、雄コネクタ３２１の雄コネクタ端子３３３ａと雄コネクタ３２２の雄コネクタ端子３３３ｂとが電気的に接続されており、雌コネクタ３２３の雌コネクタ端子３５４を介し、雄コネクタ３２１の雄コネクタ端子３３４ａと雄コネクタ３２２の雄コネクタ端子３３４ｂとが電気的に接続される。
【００６２】
この場合、雄コネクタ３２１の雄コネクタ端子３３２ａ、３３３ａ、３３４ａ及び雄コネクタ３２２の雄コネクタ端子３３２ｂ、３３３ｂ、３３４ｂはピン状であり円柱形状をしていることから、雌コネクタ３２３の雌コネクタ端子３５２、３５３、３５４と接触しているため、確実にプリント基板３１１とプリント基板３１２とにおける配線を電気的に接続することができる。
【００６３】
次に、プリント基板３１１及び３１２が所定の位置より若干ずれた位置にネジ止め等により固定された場合について説明する。この場合における本実施の形態におけるフローティングコネクタの接続状態を図３９、図４０、図４１、図４２に示す。図３９は本実施の形態におけるフローティングコネクタの接続状態を示す図であり、図４０及び図４１は本実施の形態におけるフローティングコネクタの接続した状態の上面図、図４２は斜視図である。図４０と図４１とは、プリント基板３１１及び３１２の位置ズレ方向が相対的に反対方向の場合を示すものである。図に示されるように、雌コネクタ３２３の雌コネクタ端子３５２には雄コネクタ３２１の雄コネクタ端子３３２ａ及び雄コネクタ３２２の雄コネクタ端子３３２ｂが挿入され、雌コネクタ３２３の雌コネクタ端子３５３には、雄コネクタ３２１の雄コネクタ端子３３３ａ及び雄コネクタ３２２の雄コネクタ端子３３３ｂが挿入され、雌コネクタ３２３の雌コネクタ端子３５４には、雄コネクタ３２１の雄コネクタ端子３３４ａ及び雄コネクタ３２２の雄コネクタ端子３３４ｂが挿入されている。
【００６４】
これにより、雌コネクタ３２３の雌コネクタ端子３５２を介し、雄コネクタ３２１の雄コネクタ端子３３２ａと雄コネクタ３２２の雄コネクタ端子３３２ｂとが電気的に接続されており、雌コネクタ３２３の雌コネクタ端子３５３を介し、雄コネクタ３２１の雄コネクタ端子３３３ａと雄コネクタ３２２の雄コネクタ端子３３３ｂとが電気的に接続されており、雌コネクタ３２３の雌コネクタ端子３５４を介し、雄コネクタ３２１の雄コネクタ端子３３４ａと雄コネクタ３２２の雄コネクタ端子３３４ｂとが電気的に接続される。
【００６５】
このように、プリント基板３１１及び３１２において相対的に位置ズレを生じている場合においても、雄コネクタ３２１の雄コネクタ端子３３２ａ、３３３ａ、３３４ａ及び雄コネクタ３２２の雄コネクタ端子３３２ｂ、３３３ｂ、３３４ｂは、雌コネクタ３２３の雌コネクタ端子３５２、３５３、３５４と各々接触しているため、プリント基板１１とプリント基板１２とを確実に電気的に接続することができる。
【００６６】
次に、図４３及び図４４に基づき雌コネクタ３２３の側部３５６に設けられたフック３５７について説明する。本実施の形態におけるフローティングコネクタは、プリント基板３１１及び３１２に対し垂直方向に雄コネクタ３２１及び３２２に雌コネクタ３２３を挿入することにより電気的に接続されるものである。このため、この電気的接続は容易にはずれない方が好ましい。このため、雌コネクタ３２３の側部３５６にはフック３５７が設けられており、このフック３５７が、雄コネクタ３２１及び３２２の本体部３３１の側面部に設けられた引掛部３４３に引っかかり固定される。また、雄コネクタ３２１及び３２２と雌コネクタ３２３との接続は、高さ方向におけるズレも吸収できるように構成されており、接続状態は図４３に示す雄コネクタ３２１と雌コネクタ３２３との接続状態から、雄コネクタ３２２と雌コネクタ３２３との接続状態まで許容される。尚、図４３は、図４４において矢印Ｄに示す方向より見た図である。
【００６７】
尚、３枚以上のプリント基板を接続する場合等の上記記載の事項以外の内容に関しては、第１の実施の形態と同様である。
【００６８】
〔第３の実施の形態〕
次に、第３の実施の形態について説明する。本実施の形態に係るフローティングコネクタは、複数のプリント基板を接続する１つのコネクタである。
【００６９】
図４５に示すように、本実施の形態におけるコネクタ４１０は、プリント基板４１１及び４１２を接続する板状のコネクタである。このコネクタ４１０により、プリント基板４１１とプリント基板４１２は、プリント基板が接続される方向、即ち、矢印Ｅに示す基板接続方向に接続される。
【００７０】
プリント基板４１１には、図４５及び図４６に示すように、長円形状の開口部４２１が設けられており、開口部４２１の近傍の両側には、電極端子４２３ａ及び４２３ｂが設けられている。電極端子４２３ａ及び４２３ｂは導電性材料からなるパット部であり、ハンダ等の材料により他の配線部分よりも厚く形成されていることが望ましい。プリント基板４１２も同様の構成となっており、長円形状の開口部４２２が設けられており、開口部４２２の近傍の両側には、電極端子４２４ａ及び４２４ｂが設けられている。
【００７１】
一方、コネクタ４１０には、図４７及び図４８に示すように、先端部において径の広がった部分を有する形状であって中心において十字に分割された２つのフック部４３１及び４３２が設けられており、２つのフック部４３１及び４３２の両側には、電極部４３３及び４３４が設けられている。フック部４３１及び４３２は、樹脂材料等により構成されており、プリント基板４１１及び４１２に設けられた開口部４２１及び４２２に嵌合するように構成されている。具体的には、フック部４３１及び４３２の先端部が開口部４２１及び４２２を挿入することにより、挿入後は径の広がった部分が開口部４２１及び４２２に引っかかり、容易にはずれないように構成されている。このフック部４３１及び４３２は強い力で引っ張るか、先端部において径が縮む方向に力を加えて引抜くことにより外すことが可能である。また、電極部４３３及び４３４は、銅板等の金属の導電性材料により板状に形成されており、電極部４３３及び４３４の両端部近傍が折曲げられ、面方向にバネ性を有している。この電極部４３３及び４３４は、電極部４３３及び４３４の長手方向が矢印Ｅに示す基板接続方向に沿って配置されている。
【００７２】
次に、図４９、図５０に基づき、本実施の形態におけるコネクタ４１０とプリント基板４１１及び４１２の接続方法について説明する。
【００７３】
本実施の形態におけるコネクタ４１０は、前述のとおり、プリント基板４１１に設けられた開口部４２１にコネクタ４１０のフック部４３１を嵌合させ、プリント基板４１２に設けられた開口部４２２にコネクタ４１０のフック部４３２を嵌合させることにより接続する。この際、プリント基板４１１に設けられた電極端子４２３ａとコネクタ４１０に設けられた電極部４３３とが接続され、また、プリント基板４１２に設けられた電極端子４２４ａとコネクタ４１０に設けられた電極部４３３とが接続される。これにより、プリント基板４１１に設けられた電極端子４２３ａとプリント基板４１２に設けられた電極端子４２４ａとが、コネクタ４１０に設けられた電極部４３３を介し接続される。更に、プリント基板４１１に設けられた電極端子４２３ａとコネクタ４１０に設けられた電極部４３３とが接続され、また、プリント基板４１２に設けられた電極端子４２４ａとコネクタ４１０に設けられた電極部４３３とが接続される。これにより、プリント基板４１１に設けられた電極端子４２３ｂとプリント基板４１２に設けられた電極端子４２４ｂとが、コネクタ４１０に設けられた電極部４３４を介し接続される。このようにして、プリント基板４１１と４１２の電極同士が接続され、一枚のプリント基板と同様に用いることができる。
【００７４】
尚、プリント基板４１１及び４１２に設けられている開口部４２１及び４２２は、矢印Ｅに示す基板接続方向の径が長い長円形状に形成されているため、矢印Ｅに示す基板接続方向に、プリント基板４１１及び４１２の間隔が広がった状態、または、狭まった状態においても、コネクタ４１０を接続することができる。
【００７５】
図５０は、プリント基板４１１及び４１２の間隔が広がった状態を示している。この状態において、上述のとおり、プリント基板４１１に設けられた電極端子４２３ａとプリント基板４１２に設けられた電極端子４２４ａとはコネクタ４１０の電極部４３３により接続され、及び、プリント基板４１１に設けられた電極端子４２３ｂとプリント基板４１２に設けられた電極端子４２４ｂとはコネクタ４１０の電極部４３４により接続されている状態を保っている。
【００７６】
また、図５１は、プリント基板４１１及び４１２の間隔が狭くなった状態を示している。この状態においても同様に、プリント基板４１１に設けられた電極端子４２３ａとプリント基板４１２に設けられた電極端子４２４ａとはコネクタ４１０の電極部４３３により接続され、及び、プリント基板４１１に設けられた電極端子４２３ｂとプリント基板４１２に設けられた電極端子４２４ｂとはコネクタ４１０の電極部４３４により接続されている状態を保っている。
【００７７】
また、図５２は、プリント基板４１１及び４１２の間隔が広がった状態で、かつ、矢印Ｅに示す基板接続方向に対し垂直方向にプリント基板４１１とプリント基板４１２との位置がずれた状態を示している。この状態においても同様に、プリント基板４１１に設けられた電極端子４２３ａとプリント基板４１２に設けられた電極端子４２４ａとはコネクタ４１０の電極部４３３により接続され、及び、プリント基板４１１に設けられた電極端子４２３ｂとプリント基板４１２に設けられた電極端子４２４ｂとはコネクタ４１０の電極部４３４により接続されている状態を保っている。
【００７８】
図５３は、プリント基板４１１とプリント基板４１２の高さ方向の位置がずれた状態を示す。この状態においても同様に、プリント基板４１１に設けられた電極端子４２３ａ及び４２３ｂとプリント基板４１２に設けられた電極端子４２４ａ及び４２４ｂとは、各々コネクタ４１０の電極部４３３及び４３４により接続されている。尚、プリント基板４１１に設けられた開口部４２１にコネクタ４１０のフック部４３１が嵌合されており、プリント基板４１２に設けられた開口部４２２にコネクタ４１０のフック部４３２が嵌合されている。この状態では、プリント基板４１１側の電極部４３３及び４３４により大きな力が加わるため、電極部４３３及び４３４はバネ性を有していることから、プリント基板４１２側よりもプリント基板４１１側の電極部４３３及び４３４がより縮んだ状態で接続される。
【００７９】
（変形例）
次に、本実施の形態の変形例について説明する。
【００８０】
図５４に示すように、本実施の形態の変形例におけるコネクタ５１０は、プリント基板５１１及び５１２を接続する板状のコネクタである。このコネクタ５１０により、プリント基板５１１とプリント基板５１２は、プリント基板が接続される方向、即ち、矢印Ｆに示す基板接続方向に接続される。
【００８１】
プリント基板５１１には、図５４及び図５５に示すように、先端部において径の広がった部分を有する形状であって中心部分が十字に割られたフック部５２１が設けられており、フック部５２１近傍の両側には、電極端子５２３ａ及び５２３ｂが設けられている。電極端子５２３ａ及び５２３ｂは導電性材料からなるパット部であり、ハンダ等の材料により他の配線部分よりも厚く形成されていることが望ましい。プリント基板５１２も同様の構成となっており、先端部において径の広がった部分を有する形状であって中心において十字に分割されたフック部５２２が設けられており、フック部５２１近傍の両側には、電極端子５２４ａ及び５２４ｂが設けられている。
【００８２】
一方、コネクタ５１０には、図５６に示すように、長円形状の２つの開口部５３１及び５３２が設けられており、２つの開口部５３１及び５３２の両側には、電極部５３３及び５３４が設けられている。
【００８３】
尚、コネクタ５１０に設けられたフック部５２１及び５２２は、樹脂材料等により構成されており、プリント基板５１１及び５１２に設けられた開口部５３１及び５３２に嵌合するように構成されている。
【００８４】
また、電極部５３３及び５３４は、銅板等の金属の導電性材料により板状に形成されているものであり、電極部５３３及び５３４の両端部近傍が折曲げられており面方向にバネ性を有している。この電極部５３３及び５３４は、電極部５３３及び５３４の長手方向が矢印Ｆに示す基板接続方向に沿って配置されている。
【００８５】
このコネクタ５１０の接続方法の詳細については、フック部５２１及び５２２と開口部５３１及び５３２の配置が異なるのみで、前述したコネクタ４１０の場合と同様である。
【００８６】
尚、プリント基板側にバネ性を持たせた電極端子を設け、コネクタ側に、バネ性を有しない電極部を設けた構成であっても同様の効果を得ることができる。
【００８７】
尚、３枚以上のプリント基板を接続する場合等の上記記載の事項以外の内容に関しては、第１の実施の形態と同様である。
【００８８】
以上、本発明の実施に係る形態について説明したが、上記内容は、発明の内容を限定するものではない。
【符号の説明】
【００８９】
１１、１２          プリント基板
２１、２２          雌コネクタ
２３                雄コネクタ
３１                本体部（雌コネクタ）
３２、３３、３４    溝部
３７、３８、３９    雌コネクタ端子
４０                テーパ
４１                金属部
４２ａ、４２ｂ      接触部
４３                引掛部
４７、４８、４９    接続端子
５１                本体部（雄コネクタ）
５２、５３、５４    雄コネクタ端子
５６                側部
５７                フック
【図１】
2010232155.tif 000003
【図２】
2010232155.tif 000004
【図３】
2010232155.tif 000005
【図４】
2010232155.tif 000006
【図５】
2010232155.tif 000007
【図６】
2010232155.tif 000008
【図７】
2010232155.tif 000009
【図８】
2010232155.tif 000010
【図９】
2010232155.tif 000011
【図１０】
2010232155.tif 000012
【図１１】
2010232155.tif 000013
【図１２】
2010232155.tif 000014
【図１３】
2010232155.tif 000015
【図１４】
2010232155.tif 000016
【図１５】
2010232155.tif 000017
【図１６】
2010232155.tif 000018
【図１７】
2010232155.tif 000019
【図１８】
2010232155.tif 000020
【図１９】
2010232155.tif 000021
【図２０】
2010232155.tif 000022
【図２１】
2010232155.tif 000023
【図２２】
2010232155.tif 000024
【図２３】
2010232155.tif 000025
【図２４】
2010232155.tif 000026
【図２５】
2010232155.tif 000027
【図２６】
2010232155.tif 000028
【図２７】
2010232155.tif 000029
【図２８】
2010232155.tif 000030
【図２９】
2010232155.tif 000031
【図３０】
2010232155.tif 000032
【図３１】
2010232155.tif 000033
【図３２】
2010232155.tif 000034
【図３３】
2010232155.tif 000035
【図３４】
2010232155.tif 000036
【図３５】
2010232155.tif 000037
【図３６】
2010232155.tif 000038
【図３７】
2010232155.tif 000039
【図３８】
2010232155.tif 000040
【図３９】
2010232155.tif 000041
【図４０】
2010232155.tif 000042
【図４１】
2010232155.tif 000043
【図４２】
2010232155.tif 000044
【図４３】
2010232155.tif 000045
【図４４】
2010232155.tif 000046
【図４５】
2010232155.tif 000047
【図４６】
2010232155.tif 000048
【図４７】
2010232155.tif 000049
【図４８】
2010232155.tif 000050
【図４９】
2010232155.tif 000051
【図５０】
2010232155.tif 000052
【図５１】
2010232155.tif 000053
【図５２】
2010232155.tif 000054
【図５３】
2010232155.tif 000055
【図５４】
2010232155.tif 000056
【図５５】
2010232155.tif 000057
【図５６】
2010232155.tif 000058
【図５７】
2010232155.tif 000059